(57)【要約】【課題】熱電併給装置の制御とリモコンに表示される時刻とが異なる時計に基づいてコントロールされている場合にユーザーの違和感を低減すること。【解決手段】コージェネレーションシステム１は、熱電併給装置３０と、補助機器７３、８３と、この両者３０、７３、８３の稼働を管理するリアルタイムクロック３８と、を有する熱電併給装置ユニット３と、熱電併給装置ユニット３の動作を遠隔操作する遠隔操作器１０と、調整部２２とを備える。遠隔操作器１０は、表示される時刻を任意に変更可能な時刻表示部１１と、時刻表示部１１の時刻と関連して熱電併給装置ユニット３の状態を表示する状態表示部１２とを有する。調整部２２は、所定の時間ごとにリアルタイムクロック３８の時刻と時刻表示部１１の時刻との差分を取得し、取得した差分に基づいて、時刻表示部１１の時刻に基づく熱電併給装置３０の動作の状態として状態表示部１２に表示するように調整する。【選択図】図１
2010192241.tif 000002
【特許請求の範囲】
【請求項１】
発電する際に発熱する熱電併給装置と、前記熱電併給装置の発電を行う際に作動する補助機器と、前記熱電併給装置及び前記補助機器の稼働を管理するリアルタイムクロックと、を有する熱電併給装置ユニットと；
前記熱電併給装置ユニットの動作を遠隔操作する遠隔操作器であって、表示される時刻を任意に変更可能な時刻表示部と、前記時刻表示部の時刻と関連して前記熱電併給装置ユニットの動作の状態を表示する状態表示部とを有する遠隔操作器と；
第１の所定の時間ごとに前記リアルタイムクロックの時刻と前記時刻表示部の時刻との差分を取得して、前記リアルタイムクロックに基づいて動作する前記熱電併給装置ユニットの状態を前記状態表示部に表示する際に、前記取得した差分に基づいて、前記時刻表示部の時刻に基づく前記熱電併給装置の動作の状態として前記状態表示部に表示するように調整する調整部とを備える；
コージェネレーションシステム。
【請求項２】
前記状態表示部が、前記熱電併給装置ユニットのエネルギー収支に関する情報を表示するように構成された；
請求項１に記載のコージェネレーションシステム。
【請求項３】
前記熱電併給装置が発電するのに伴って発生する熱を、媒体水を介して蓄える蓄熱槽と；
前記媒体水を加熱する加熱手段とを備え；
前記蓄熱槽内の前記媒体水が前記蓄熱槽内から導出されない状態が前記リアルタイムクロックによる計時で第２の所定の時間継続したときに、前記加熱手段により前記媒体水内に発生しうる菌類を滅菌可能な所定の温度に前記媒体水を加熱するように構成された；
請求項１又は請求項２に記載のコージェネレーションシステム。
【請求項４】
前記熱電併給装置が発電するのに伴って発生する熱を、媒体水を介して蓄える蓄熱槽と；
前記蓄熱槽に出入りする前記媒体水を流す媒体水流路とを備え；
前記熱電併給装置が発電を行っていない状態が前記リアルタイムクロックによる計時で第３の所定の時間継続したときに、前記媒体水流路内の前記媒体水を前記蓄熱槽内の前記媒体水と置換するように構成された；
請求項１又は請求項２に記載のコージェネレーションシステム。
【請求項５】
前記取得した差分を保存する保存部を備える；
請求項１乃至請求項４のいずれか１項に記載のコージェネレーションシステム。
【請求項６】
前記調整部が、前記リアルタイムクロックの時刻と前記時刻表示部の時刻との差分を取得できないときに、前記リアルタイムクロックに基づいて動作する前記熱電併給装置ユニットの状態を前記状態表示部に表示する際に、前記保存部に保存されている差分に基づいて、前記時刻表示部の時刻に基づく前記熱電併給装置の動作の状態として前記状態表示部に表示するように構成された；
請求項５に記載のコージェネレーションシステム。
【請求項７】
前記時刻表示部に表示される時刻が意に反して変更されたときに、前記保存部に保存されている差分に基づいて前記時刻表示部に表示される時刻が設定されるように構成された；
請求項５又は請求項６に記載のコージェネレーションシステム。
【請求項８】
前記リアルタイムクロックの時刻が変更されたときに、前記調整部が前記変更と同時に前記差分を取得するように構成された；
請求項１乃至請求項７のいずれか１項に記載のコージェネレーションシステム。
【請求項９】
標準時を取得する標準時取得部を備え；
前記リアルタイムクロック又は前記時刻表示部の時刻が前記標準時取得部が取得した標準時に同期されるように構成された；
請求項１乃至請求項８のいずれか１項に記載のコージェネレーションシステム。
【発明の詳細な説明】
【技術分野】
【０００１】
本発明はコージェネレーションシステムに関し、特にユーザーの時刻認識の利便性を向上させたコージェネレーションシステムに関する。
【背景技術】
【０００２】
昨今、総合エネルギー効率を高めるエネルギー供給システムとして、発電する際に発熱する熱電併給装置を備え、電力及び熱を供給可能なコージェネレーションシステムが注目されている。熱電併給装置の一態様として、水素と酸素とを導入してこれらの電気化学的反応により発電する燃料電池があるが、近年の地球環境保全意識の高まりを背景に、燃料電池を備える燃料電池システムの一般家庭への導入が現実味を帯びてきている。燃料電池システムは、一般に居室外に設置されるため、ユーザーの意図を運転に反映させるためにリモコン（遠隔操作器）が居室に設置される（例えば、特許文献１参照。）。
【先行技術文献】
【特許文献】
【０００３】
【特許文献１】特開２００５−２５７１５７号公報
【発明の概要】
【発明が解決しようとする課題】
【０００４】
熱電併給装置は、発生した熱を媒体（典型的には水）を介して蓄熱槽に蓄えておくことが多いところ、蓄熱媒体としての温水は、熱電併給装置が停止した状態が長時間続いて温度が低下したまま滞留すると細菌が発生するおそれがあるため、例えば細菌発生のおそれが生じる前に強制的に滅菌温度以上に加熱することがある。この滅菌制御は確実に実行されることが好ましいところ、電源が切られても時刻を刻み続けるリアルタイムクロックに基づいて制御されることが好ましい。また、滅菌制御が実行されたか否か等の熱電併給装置の状態は、ユーザーの関心事であり、時刻に対応付けてリモコンに表示されることが望まれている。他方、利便性の観点からリモコンにも時計表示機能を設けるのが一般的である。ユーザーの中には時計を所定時間進めた状態で生活するのを好む者がいるし、リアルタイムクロックの時刻精度はおよそミリ秒であることから長いスパンで見ると実時間からずれが生じるため、直接ユーザーの目に入るリモコンの時計表示は、ユーザーが自由に設定（変更）できることが好ましい。しかしながら、例えば滅菌等の熱電併給装置の制御の基準となるリアルタイムクロックと、リモコンに表示される時計との２つが存在し、両者にずれが生じた場合は、熱電併給装置の状態がリモコンの時計とは異なる基準で作動しているリアルタイムクロックに対応付けられて表示されると、ユーザーは違和感を覚えることとなる。
【０００５】
本発明は上述の課題に鑑み、熱電併給装置の制御とリモコンに表示される時刻とが異なる時計に基づいてコントロールされている場合にユーザーの違和感を低減するコージェネレーションシステムを提供することを目的とする。
【課題を解決するための手段】
【０００６】
上記目的を達成するために、本発明の第１の態様に係るコージェネレーションシステムは、例えば図１に示すように、発電する際に発熱する熱電併給装置３０と、熱電併給装置３０の発電を行う際に作動する補助機器７３、８３と、熱電併給装置３０及び補助機器７３、８３の稼働を管理するリアルタイムクロック３８と、を有する熱電併給装置ユニット３と；熱電併給装置ユニット３の動作を遠隔操作する遠隔操作器１０であって、表示される時刻を任意に変更可能な時刻表示部１１と、時刻表示部１１の時刻と関連して熱電併給装置ユニット３の動作の状態を表示する状態表示部１２とを有する遠隔操作器１０と；第１の所定の時間ごとにリアルタイムクロック３８の時刻と時刻表示部１１の時刻との差分を取得して、リアルタイムクロック３８に基づいて動作する熱電併給装置ユニット３の状態を状態表示部１２に表示する際に、取得した差分に基づいて、時刻表示部１１の時刻に基づく熱電併給装置３０の動作の状態として状態表示部１２に表示するように調整する調整部２２とを備える。
【０００７】
このように構成すると、リアルタイムクロックに基づいて動作する熱電併給装置ユニットの状態を状態表示部に表示する際に、取得した差分に基づいて、時刻表示部の時刻に基づく熱電併給装置の動作の状態として状態表示部に表示するので、リアルタイムクロックと時刻表示部との間にずれが生じていても状態表示部に表示される状態は時刻表示部の時刻に対応付けられたものとなり、ユーザーが違和感を覚えることがない。
【０００８】
また、本発明の第２の態様に係るコージェネレーションシステムは、例えば図１を参照して示すと、上記本発明の第１の態様に係るコージェネレーションシステム１において、状態表示部１２が、熱電併給装置ユニット３のエネルギー収支に関する情報を表示するように構成されている。
【０００９】
このように構成すると、熱電併給装置ユニットを導入するような省エネルギーに関心の高いユーザーに対しても、遠隔操作器に表示されている時刻に基づいたエネルギー収支に関する情報を表示することができる。
【００１０】
また、本発明の第３の態様に係るコージェネレーションシステムは、例えば図１に示すように、上記本発明の第１の態様又は第２の態様に係るコージェネレーションシステム１において、熱電併給装置３０が発電するのに伴って発生する熱を、媒体水ｈを介して蓄える蓄熱槽８０と；媒体水ｈを加熱する加熱手段４６とを備え；蓄熱槽８０内の媒体水ｈが蓄熱槽８０内から導出されない状態がリアルタイムクロック３８による計時で第２の所定の時間継続したときに、加熱手段４６により媒体水ｈ内に発生しうる菌類を滅菌可能な所定の温度に媒体水ｈを加熱するように構成されている。
【００１１】
このように構成すると、蓄熱槽内の媒体水が蓄熱槽内から導出されない状態がリアルタイムクロックによる計時で第２の所定の時間継続したときに加熱手段により媒体水内に発生しうる菌類を滅菌可能な所定の温度に媒体水を加熱するので、確実に滅菌対策を講ずることができる。
【００１２】
また、本発明の第４の態様に係るコージェネレーションシステムは、例えば図１に示すように、上記本発明の第１の態様又は第２の態様に係るコージェネレーションシステム１において、熱電併給装置３０が発電するのに伴って発生する熱を、媒体水ｈを介して蓄える蓄熱槽８０と；蓄熱槽８０に出入りする媒体水ｈを流す媒体水流路８４、８５とを備え；熱電併給装置３０が発電を行っていない状態がリアルタイムクロック３８による計時で第３の所定の時間継続したときに、媒体水流路８４、８５内の媒体水ｈを蓄熱槽８０内の媒体水ｈと置換するように構成されている。
【００１３】
このように構成すると、熱電併給装置が発電を行っていない状態がリアルタイムクロックによる計時で第３の所定の時間継続したときに媒体水流路内の媒体水を蓄熱槽内の媒体水と置換するので、確実に滅菌対策を講ずることができる。
【００１４】
また、本発明の第５の態様に係るコージェネレーションシステムは、例えば図１に示すように、上記本発明の第１の態様乃至第４の態様のいずれか１つの態様に係るコージェネレーションシステム１において、取得した差分を保存する保存部２３を備える。
【００１５】
このように構成すると、例えば停電等が生じて時刻表示部の応答がなく差分を取得できない場合に保存部に保存されている差分を用いることが可能になる。
【００１６】
また、本発明の第６の態様に係るコージェネレーションシステムは、例えば図１を参照して示すと、上記本発明の第５の態様に係るコージェネレーションシステム１において、調整部２２が、リアルタイムクロック３８の時刻と時刻表示部１１の時刻との差分を取得できないときに、リアルタイムクロック３８に基づいて動作する熱電併給装置ユニット３の状態を状態表示部１２に表示する際に、保存部２３に保存されている差分に基づいて、時刻表示部１１の時刻に基づく熱電併給装置３０の動作の状態として状態表示部１２に表示するように構成されている。
【００１７】
このように構成すると、例えば停電等により時刻表示部がリセットされてしまった後でも、時刻表示部がリセットされる前の差分に基づいて状態表示部に熱電併給装置の状態を表示することが可能になり、ユーザーの違和感を低減することができる。
【００１８】
また、本発明の第７の態様に係るコージェネレーションシステムは、例えば図１を参照して示すと、上記本発明の第５の態様又は第６の態様に係るコージェネレーションシステム１において、時刻表示部１１に表示される時刻が意に反して変更されたときに、保存部２３に保存されている差分に基づいて時刻表示部１１に表示される時刻が設定されるように構成されている。
【００１９】
このように構成すると、例えば停電等により時刻表示部がリセットされてしまっても暫定的に時刻表示部に表示される時刻が設定されることとなり、ユーザーの混乱を低減することができる。
【００２０】
また、本発明の第８の態様に係るコージェネレーションシステムは、例えば図１を参照して示すと、上記本発明の第１の態様乃至第７の態様のいずれか１つの態様に係るコージェネレーションシステム１において、リアルタイムクロック３８の時刻が変更されたときに、調整部２２が変更と同時に差分を取得するように構成されている。
【００２１】
このように構成すると、変更されたリアルタイムクロックの時刻を直ちに反映させることができる。
【００２２】
また、本発明の第９の態様に係るコージェネレーションシステムは、例えば図１に示すように、上記本発明の第１の態様乃至第８の態様のいずれか１つの態様に係るコージェネレーションシステム１において、標準時を取得する標準時取得部２５を備え；リアルタイムクロック３８又は時刻表示部１１の時刻が標準時取得部２５が取得した標準時に同期されるように構成されている。
【００２３】
このように構成すると、標準時に同期されるリアルタイムクロック又は時刻表示部に表示される時間が正確なものとなる。
【発明の効果】
【００２４】
本発明によれば、リアルタイムクロックに基づいて動作する熱電併給装置ユニットの状態を状態表示部に表示する際に、取得した差分に基づいて、時刻表示部の時刻に基づく熱電併給装置の動作の状態として状態表示部に表示するので、リアルタイムクロックと時刻表示部との間にずれが生じていても状態表示部に表示される状態は時刻表示部の時刻に対応付けられたものとなり、ユーザーが違和感を覚えることがない。
【図面の簡単な説明】
【００２５】
【図１】本発明の実施の形態に係る燃料電池システムの概略構成を示すブロック図である。
【図２】時刻表示部の時刻とリアルタイムクロックの時刻との調整の手順を説明するフローチャートである。
【図３】リアルタイムクロックに基づいて動作する燃料電池ユニットの状態を状態表示部に表示する具体例を示す図である。（ａ）はタイムチャート、（ｂ）はリモコンの外観図である。
【発明を実施するための形態】
【００２６】
以下、図面を参照して本発明の実施の形態について説明する。なお、各図において互いに同一又は相当する部材には同一あるいは類似の符号を付し、重複した説明は省略する。
【００２７】
まず図１を参照して、本発明の実施の形態に係る燃料電池システム１を説明する。図１は、燃料電池システム１の概略構成を示すブロック図である。燃料電池システム１は、発電する際に発熱する熱電併給装置としての燃料電池３０を有する、コージェネレーションシステムの一形態である。燃料電池システム１は、燃料電池３０を有する燃料電池ユニット３と、遠隔操作器としてのリモコン１０と、制御装置２０とを備えている。
【００２８】
燃料電池ユニット３は、燃料電池３０のほか、燃料電池３０で発電する際にガスや冷却水を供給するブロワやポンプ等の補助機器と、燃料電池３０及び補助機器の稼働を管理するリアルタイムクロック（以下「ＲＴＣ」という。）３８と、燃料電池３０で発生した熱を蓄える蓄熱槽としての貯湯槽８０とを有している。燃料電池ユニット３は、居室外に設置されており、典型的には屋外に設置されている。
【００２９】
燃料電池３０は、典型的には固体高分子形燃料電池である。燃料電池３０は、水素を主成分とする改質ガスｇを導入するアノード３１と、酸素含有ガスとしての酸化剤ガスｔを導入するカソード３２と、電気化学的反応により発生した熱を奪う冷却部３３とを含んで構成されている。カソード３２に導入される酸化剤ガスｔは、典型的には空気である。燃料電池３０は、図では簡易的に示されているが、実際には、固体高分子膜をアノード３１とカソード３２とで挟んで単一のセルが形成され、このセルを冷却部３３を介し複数枚積層して構成されている。燃料電池３０では、アノード３１に供給された改質ガスｇ中の水素が水素イオンと電子とに分解し、水素イオンが固体高分子膜を通過してカソード３２に移動すると共に電子がアノード３１とカソード３２とを結ぶ導線を通ってカソード３２に移動して、カソード３２に供給された酸化剤ガスｔ中の酸素と反応して水を生成し、この反応の際に発熱する。この反応で、電子が導線を通ることにより、直流の電力を取り出すことができる。
【００３０】
燃料電池３０から取り出された直流電力は、パワーコンディショナ（不図示）で交流電力に変換された後に電力負荷に送電されるように構成されている。パワーコンディショナ（不図示）の先では、燃料電池３０から電力負荷へ送電する電線に商用電源から受電する電線が接続されており、電力負荷への給電は燃料電池３０で発生した電力が優先的に供給され、不足分が商用電源から供給された電力で賄われる。電力負荷は、例えば家庭に設置された冷蔵庫等の電力消費機器であるが、燃料電池ユニット３の補助機器も含まれる。
【００３１】
アノード３１に供給される改質ガスｇは、改質器３４で生成される。改質器３４は、炭化水素系の原料ｍと改質用水（不図示）とを導入し、加熱して、原料ｍの水蒸気改質反応により水素を主成分とする改質ガスｇを生成する機器である。原料ｍは、例えば、メタン、エタン等の鎖式炭化水素（天然ガスも含む）、あるいはメタノール、石油製品（灯油、ガソリン、ナフサ、ＬＰＧ等）等の炭化水素を主成分とする混合物等の炭化水素系の燃料が用いられる。改質ガスｇは、例えば、水素を４０体積％以上、典型的には７０〜８０体積％程度含んだ、燃料電池３０に供給するガスである。改質ガスｇ中の水素濃度は８０体積％以上でもよく、すなわち燃料電池３０に供給したときに酸化剤ガスｔ中の酸素との電気化学的反応により発電可能な濃度であればよい。
【００３２】
アノード３１と改質器３４とは、改質器３４で生成された改質ガスｇをアノード３１に導く改質ガス管５１と、アノード３１から排出されたアノードオフガスｐを改質器３４に導くアノードオフガス管５２とで接続されている。アノードオフガスｐは、燃料電池３０における電気化学的反応に利用されなかった水素を含むガスであり、改質器３４に導入されて燃焼されることで原料ｍの改質に用いられる改質熱を発生させる。改質器３４には、改質ガス管５１及びアノードオフガス管５２のほか、原料ｍを導入する原料管５５が接続されている。原料管５５には、原料ｍを改質器３４に向けて圧送する原料ブロワ３５が挿入配置されている。原料ブロワ３５は補助機器の１つである。本実施の形態では、原料ｍが気体であるとして原料ブロワ３５が用いられているが、原料ｍが液体の場合はブロワに代えてポンプが用いられる。
【００３３】
カソード３２には、酸化剤ガスｔを導入する酸化剤ガス管５４と、燃料電池３０での電気化学的反応に利用されなかった酸素を含むカソードオフガスｑを排出するカソードオフガス管５４Ｑとが接続されている。酸化剤ガス管５４には、カソード３２に酸化剤ガスｔを送る空気ブロワ３６が配設されている。空気ブロワ３６は補助機器の１つである。冷却部３３には、冷却水ｃを導入する冷却水管７５と、燃料電池３０から熱を奪って温度が上昇した冷却水ｃを熱交換器７０に導く冷却水管７４とが、それぞれ接続されている。冷却水管７４、７５により、燃料電池３０から導出された媒体水としての冷却水ｃが熱交換器７０を通過し、熱交換器７０を通過して温度が下がった冷却水ｃが燃料電池３０に導入されるように循環流路が形成されている。冷却水管７５には内部を流れる冷却水ｃを循環させる冷却水ポンプ７３が配置されている。冷却水ポンプ７３は補助機器の１つである。
【００３４】
熱交換器７０は、冷却水ｃと蓄熱水ｈとの間で熱交換を行う機器であり、典型的にはプレート型熱交換器が用いられる。熱交換器７０は、燃料電池３０から受熱して温度が上昇した冷却水ｃと、冷却水ｃよりも温度が低い蓄熱水ｈとがカウンターフローにより熱交換し、燃料電池３０の排熱を冷却水ｃから蓄熱水ｈに伝達するように構成されている。熱交換器７０には、冷却水管７４、７５のほか、蓄熱水ｈを導入する蓄熱水管８５と、冷却水ｃから受熱して温度が上昇した蓄熱水ｈを貯湯槽８０に導く蓄熱水管８４とが、それぞれ接続されている。蓄熱水管８４は、熱交換器７０から導出された蓄熱水ｈが貯湯槽８０の上部に流入するように貯湯槽８０の上部に接続されており、好適には頂部に接続される。蓄熱水管８５は、熱交換器７０に導入される蓄熱水ｈが貯湯槽８０の下部から採水されるように貯湯槽８０の下部に接続されており、好適には底部に接続される。蓄熱水管８４、８５は熱交換器７０及び貯湯槽８０と接続されて循環流路を形成している。蓄熱水管８５には内部を流れる蓄熱水ｈを循環する蓄熱水ポンプ８３が配置されている。蓄熱水ポンプ８３は補助機器の１つである。
【００３５】
貯湯槽８０は、熱交換器７０で燃料電池３０の排熱を受熱した蓄熱水ｈが蓄熱水管８４を通って流入し、燃料電池３０の排熱が蓄熱されるように構成されている。流入して貯湯槽８０に貯留された蓄熱水ｈは、上部の温度が高く下部の温度が低い温度成層が形成されている。さらに貯湯槽８０には、蓄えられている蓄熱水ｈを温水として給湯や暖房機器などの熱需要に供給するための温水往管４２が上部に、暖房機器等で熱が利用されて温度が低下した温水を導入する温水還管４３が下部に、給湯等で消費された温水分の水を補充するために水（例えば市水等）を導入する補給水管（不図示）が下部に、それぞれ接続されている。
【００３６】
また、貯湯槽８０には、貯湯槽８０下部の蓄熱水ｈを抜き出す下部抜出管４４Ａと、貯湯槽８０上部の蓄熱水ｈを抜き出す上部抜出管４４Ｂと、下部抜出管４４Ａ及び上部抜出管４４Ｂから抜き出した蓄熱水ｈを貯湯槽８０の上部に戻す戻し管４４Ｃとが接続されている。下部抜出管４４Ａは、典型的には貯湯槽８０の底部に接続されている。上部抜出管４４Ｂは貯湯槽８０の上部側面に接続されている。戻し管４４Ｃは、典型的には貯湯槽８０の頂部に接続されている。下部抜出管４４Ａ、上部抜出管４４Ｂ、及び戻し管４４Ｃは、それぞれ三方弁４７を介して相互に接続されている。三方弁４７は、制御装置２０と信号ケーブルで接続されており、制御装置２０からの信号を受信して、下部抜出管４４Ａと戻し管４４Ｃとを連通させるのと、上部抜出管４４Ｂと戻し管４４Ｃとを連通させるのとを電動で切り替えることができるように構成されている。戻し管４４Ｃには、補助機器を構成する、加熱ポンプ４５と加熱手段としての加熱器４６とが挿入配置されている。
【００３７】
加熱器４６は、戻し管４４Ｃ内を流れる蓄熱水ｈを所定の温度以上に加熱することができるように構成されている。加熱器４６は、燃焼用の燃料（不図示）を導入して燃焼させることにより、あるいは電気エネルギーを入力して熱に変えて、蓄熱水ｈを加熱することができるように構成されている。加熱器４６は、制御装置２０と信号ケーブルで接続されており、制御装置２０からの信号を受信して発熱量を調節することができるように構成されている。加熱ポンプ４５は、下部抜出管４４Ａ又は上部抜出管４４Ｂを介して貯湯槽８０から抜き出された蓄熱水ｈを再び貯湯槽８０へと循環させる機器である。加熱ポンプ４５は、制御装置２０と信号ケーブルで接続されており、制御装置２０からの信号を受信して発停や回転数の調節が行われるように構成されている。
【００３８】
蓄熱水管８４にはバイパス管８６が接続されており、バイパス管８６の他端は蓄熱水ポンプ８３よりも上流側で蓄熱水管８５に接続されている。バイパス管８６は、蓄熱水管８４を流れる蓄熱水ｈを貯湯槽８０に流入させずに蓄熱水管８５に導く管である。蓄熱水管８４とバイパス管８６との分岐部には、蓄熱水ｈの流れ方向を切り替える三方弁８２が配設されている。三方弁８２と制御装置２０とは信号ケーブルで接続されており、三方弁８２は制御装置２０からの信号を受信して蓄熱水ｈの流路を切り替えることができるように構成されている。また、三方弁８２の設置位置は、蓄熱水管８４とバイパス管８６との接続部に限られず、蓄熱水管８５とバイパス管８６との接続部であってもよい。また、三方弁８２に代えて二方弁を２個用いることにより、蓄熱水ｈの流れ方向を切り替えることができるように構成してもよい。
【００３９】
ＲＴＣ３８は、バッテリーを有しており、停電等により燃料電池ユニット３への電力の供給が途絶えた場合でも時刻を刻み続けることができるように構成されている。ＲＴＣ３８は、補助機器と同様に燃料電池３０で発生した電力及び商用電源から供給される電力（外部電力）を選択的に受電することができるように構成されている。また、ＲＴＣ３８は、外部電力が供給されているときは外部電力で作動するように構成されている。その一方で、停電等により外部電力の供給が途絶えたときには、電源がバッテリーに切り替わって時刻を刻み続けることができるように構成されている。ＲＴＣ３８は、制御装置２０と電気的に接続されており、燃料電池ユニット３の補助機器の作動が時間（スケジュール）によって制御される場合にこの制御の基礎となる時間を計測するように構成されている。燃料電池ユニット３の補助機器の作動は、典型的には、補助機器のほか燃料電池３０等も含んだ燃料電池ユニット３の運転及び停止の制御の一環として行われる。本実施の形態では、燃料電池ユニット３の運転・停止の制御は、典型的には、過去の運転実績に基づいて予測された電力需要及び熱需要をできるだけ燃料電池３０が発生する電力及び熱で賄うように適宜作成された運転計画に沿って行われる（運用制御）。本実施の形態では、燃料電池ユニット３の運用制御がＲＴＣ３８の時刻に基づいて行われるように構成されている。なお、ＲＴＣ３８の時刻精度は一般にミリ秒程度であり、時刻精度が一般にナノ秒あるいはピコ秒といわれる高精度タイマー（外部電力で作動する）の方が高精度である。
【００４０】
リモコン１０は、燃料電池ユニット３への動作指令を遠隔から行うための機器であり、典型的には居室に設置されている。リモコン１０は、時刻を表示する時刻表示部１１と、燃料電池ユニット３の状態を表示する状態表示部１２とを有している。リモコン１０は、商用電源から電力の供給を受けて、時刻表示部１１及び状態表示部１２を作動させている。本実施の形態のリモコン１０は、コスト低減の観点から、バッテリーによるバックアップは行われていない。時刻表示部１１は、表示される時刻を、ユーザーが任意に設定及び変更することができるように構成されている。このように構成されていることにより、ユーザーにとって使い勝手のよい時刻を表示させることができる。例えば、気持ちにゆとりを持つために、標準時よりも進んだ時刻を表示させることができる。時刻表示部１１に表示される時刻の設定及び変更は、リモコン１０から入力することができるように構成されている。
【００４１】
状態表示部１２は、上述のように燃料電池ユニット３の状態を表示するものであり、例えば滅菌加熱制御の実施状況のほか、燃料電池ユニット３のエネルギー収支に関する情報を表示するように構成されている。エネルギー収支に関する情報は、例えば燃料電池ユニット３が消費した電力量や、消費した原料ｍの量等を含むものであり、これには貯湯槽８０に出入りする熱エネルギーも含むことが好ましく、このほか燃料電池３０が電力を供給する燃料電池ユニット３外の電力負荷（電気機器）の消費電力量も含むことがより好ましい。状態表示部１２がエネルギー収支に関する情報を表示するのは、近年注目されているＨＥＭＳ（ホームエネルギーマネジメントシステム）あるいはＢＥＭＳ（ビルエネルギーマネジメントシステム）を考慮したものである。ＨＥＭＳやＢＥＭＳといったエネルギーマネジメントシステムは、主に化石燃料に由来する二酸化炭素等の温室効果ガスによる地球温暖化問題を背景に、ユーザーに省エネルギーを喚起して（場合によっては電気機器をネットワークでつなぎ省エネルギー運転となる制御を行うこともある）、実際のエネルギー消費量を抑制することを目的とするものである。
【００４２】
状態表示部１２に表示される情報は、時刻表示部１１に表示される時刻を基準として表示されるように構成されている。つまり、時刻表示部１１に表示される時刻とＲＴＣ３８の時刻とにずれが生じている場合であって、ＲＴＣ３８に基づく制御により変動したエネルギー収支についても、時刻表示部１１に表示される時刻に変換されたうえで状態表示部１２に表示されるように構成されている。このように構成されていると、ユーザーは、直接視認できる時刻に基づいてエネルギー収支を認識することができるので、違和感を覚えることがなくなる。状態表示部１２に表示される燃料電池ユニット３の状態に関する情報は、ユーザーの切り換え設定により、現在進行中のもの、現在から過去の任意の時点まで遡ったもの、過去のある特定の期間におけるもの等から選択できるように構成されている。また、状態表示部１２に表示される情報は、ユーザーにより設定された所定の時間（例えば１日、１時間、瞬時等）ごとに更新されるように構成されていてもよい。
【００４３】
制御装置２０は、燃料電池システム１の動作を制御する機器であり、差分算出部２１と、調整部２２と、保存部２３と、制御部２４と、標準時取得部２５とを有している。制御装置２０を構成する各部２１〜２５は、典型的には、物理的にはコンピューター上に渾然一体に形成されているが、本明細書においては各部２１〜２５の機能面から見て概念上区別することとしている。制御装置２０は、燃料電池ユニット３の筐体内に設けられていてもよく、あるいはリモコン１０と一体に構成されて居室内に設けられていてもよい。
【００４４】
差分算出部２１は、時刻表示部１１及びＲＴＣ３８とそれぞれ電気的に接続されており、時刻表示部１１に表示されている時刻のデータとＲＴＣ３８の時刻のデータとをそれぞれ取得することができるように構成されている。差分算出部２１は、時刻表示部１１から取得した時刻のデータとＲＴＣ３８から取得した時刻のデータとの差分を算出するように構成されている。また、差分算出部２１は、調整部２２及び保存部２３とそれぞれ電気的に接続されており、算出した差分のデータを調整部２２及び保存部２３にそれぞれ送信することができるように構成されている。差分算出部２１における差分の算出は、典型的には第１の所定の時間（例えば２秒〜１０秒のいずれか）ごとに行われる。
【００４５】
調整部２２は、上記第１の所定の時間ごとに差分算出部２１から差分のデータを取得して、ＲＴＣ３８を基準として動作した補助機器に関する情報を時刻表示部１１に表示されている時刻に換算する仮想時計として機能するものである。調整部２２は、差分算出部２１から差分を取得できないときは、保存部２３に保存されている差分を取得して暫定的に仮想時計を作成するように構成されている。この「差分算出部２１から差分を取得できないとき」は、例えば、停電のためリモコン１０に電力が供給されておらず時刻表示部１１が作動していない場合や、停電からの復電直後に時刻表示部１１がリセットされてしまい時刻が設定されていない場合等である。調整部２２は、状態表示部１２と電気的に接続されており、ＲＴＣ３８に基づいて作動した燃料電池ユニット３の状態を時刻表示部１１に表示されている時刻に換算してデータとして送信することができるように構成されている。なお、調整部２２が差分算出部２１の機能をも有するように構成されていてもよい。つまり、「差分を取得する」ことには、差分を外部から取得することのほか、自身で算出することにより取得することも含まれる。
【００４６】
保存部２３は、上述のように、調整部２２が差分算出部２１から差分を取得できない場合に備えて差分を保存しておく部分である。保存部２３は、揮発性メモリで構成されている場合はバックアップ用のバッテリーが併設されている。保存部２３が不揮発性メモリで構成されている場合はバックアップ用のバッテリーが設けられていなくてもよい。
【００４７】
制御部２４は、燃料電池システム１の動作を制御する。燃料電池システム１の制御には、燃料電池ユニット３の運用制御が含まれる。制御部２４は、各ブロワ３５、３６、各ポンプ４５、７３、８３、及び各弁４７、８２等と電気的に接続されており、これら各機器の動作を制御することができるように構成されている。また、制御部２４は、加熱器４６と電気的に接続されており、加熱器４６における加熱量を調節することができるように構成されている。また、制御部２４は、燃料電池ユニット３の動作を監視して、監視している動作に基づき電気、ガス、熱等のエネルギー収支を算出することができるように構成されている。制御部２４は、調整部２２と電気的に接続されており、燃料電池ユニット３のエネルギー収支を含む状態のデータを調整部２２に送信することができるように構成されている。
【００４８】
標準時取得部２５は、外部から標準時を取得して、ＲＴＣ３８及び／又は時刻表示部１１の時刻を標準時に同期させるものである。標準時取得部２５は、インターネットあるいは電波時計等から標準時を取得するように構成されている。標準時取得部２５が取得する標準時は、典型的には日本標準時であるが、グリニッジ標準時を取得して日本標準時に修正するように構成されていてもよい。標準時取得部２５は、ＲＴＣ３８及び／又は時刻表示部１１と電気的に接続されており、標準時のデータをＲＴＣ３８及び／又は時刻表示部１１に送信することができるように構成されている。なお、標準時を取得することができる場合には時刻表示部１１の設定及び変更を受け付けないように設定可能な構成としてもよい。
【００４９】
引き続き図１を参照して、燃料電池システム１の作用を説明する。停止している燃料電池システム１の運転を開始すると、制御装置２０は原料ブロワ３５を起動させて原料ｍを改質器３４に導入させる。また、改質器３４の燃焼部に燃焼用の燃料として原料ｍ及び燃焼用の空気を供給し燃焼させて改質熱を発生させる。改質用の原料ｍには改質用水（不図示）を混合させ、改質器３４において原料ｍを改質して水素を主成分とする改質ガスｇを生成する。生成された改質ガスｇは、改質ガス管５１を介して燃料電池３０のアノード３１に導入される。他方、制御装置２０は空気ブロワ３６を起動させて酸化剤ガスｔをカソード３２に導入させる。
【００５０】
アノード３１に改質ガスｇが導入され、カソード３２に酸化剤ガスｔが導入されると、燃料電池３０では改質ガスｇ中の水素と酸化剤ガスｔ中の酸素との電気化学的反応により発電が行われる。燃料電池３０で発電された電力は直流電力であるため、パワーコンディショナ（不図示）にて交流電力に変換された後に電力需要（不図示）に供給される。制御装置３６は、典型的には電力需要（不図示）における消費電力よりも所定の容量（例えば１００ｗ）だけ少ない電力を燃料電池３０で発電するように、原料ブロワ３５及び空気ブロワ３６の回転数を調節して、燃料電池３０に導入される改質ガスｇ及び酸化剤ガスｔの流量を制御する。電力需要（不図示）が燃料電池３０から電力の供給を受けてなお不足する電力は、商用電源から供給を受けることで補われる。燃料電池３０は、その性質上、電力需要の急峻な変動に追従することが困難であるため、電力需要（不図示）における消費電力よりも所定の容量だけ少ない電力を発電することにより、燃料電池３０で発電した電力が商用電源系統に逆潮流することを防いでいる。
【００５１】
燃料電池３０の作動中、アノード３１からはアノードオフガスｐが排出される。排出されたアノードオフガスｐは、アノードオフガス管５２を介して改質器３４の燃焼部に導かれて燃焼され、改質熱を発生させることができる。他方、カソード３２からはカソードオフガスｑが排出され、カソードオフガス管５４Ｑを介して系外に排出される。
【００５２】
燃料電池３０は、発電が行われるのに伴い熱が発生する。制御装置２０は、改質ガスｇ及び酸化剤ガスｔが燃料電池３０に導入されたら、冷却水ポンプ７３及び蓄熱水ポンプ８３を起動する。また、制御装置２０は、三方弁８２に信号を送信して、当初は蓄熱水ｈがバイパス管８６を流れるように三方弁８２の通水方向を設定し、蓄熱水ｈの温度が熱需要で利用可能な温度（例えば４５〜５０℃の任意の温度）以上のときは貯湯槽８０に流入するように三方弁８２の通水方向を切り替える。冷却水ポンプ７３が起動されることにより冷却水ｃが冷却水管７４、７５を循環する。これにより、燃料電池３０の冷却部３３に導入された冷却水ｃは燃料電池３０から熱を奪って温度が上昇し、他方、燃料電池３０は冷やされる。燃料電池３０は、冷却水ｃで冷却されることにより発電に適した温度（典型的には６０℃〜８０℃）に維持される。燃料電池３０の熱を奪って温度が上昇した冷却水ｃは、熱交換器７０で蓄熱水ｈと熱交換して燃料電池３０を冷却可能な程度に温度が低下し、他方、蓄熱水ｈの温度は上昇する。温度が低下した冷却水ｃは、再び冷却部３３に導入されて燃料電池３０で発生した熱を奪う、というように冷却水管７４、７５を循環する。
【００５３】
熱交換器７０で冷却水ｃと熱交換することにより温度が上昇した蓄熱水ｈは、その後貯湯槽８０の上部に流入する。他方、貯湯槽８０の下部からは、熱交換器７０に導入される冷却水ｃよりも温度が低い蓄熱水ｈが導出される。貯湯槽８０の下部から導出された蓄熱水ｈは、熱交換器７０に導入され、冷却水ｃと熱交換を行って温度が上昇する。貯湯槽８０には温度が高い蓄熱水ｈが上部から導入されることにより、温度成層が形成される。なお、形成された温度成層をできるだけ乱さないようにする観点から、貯湯槽８０に導入される蓄熱水ｈの動圧はできるだけ小さい方がよい。
【００５４】
貯湯槽８０に蓄えられた温度が高い蓄熱水ｈは、温水往管４２を介して給湯や暖房機器（床暖房やファンコイルユニット等）などの熱需要（不図示）に温水として供給される。熱需要に供給された温水は、例えば、暖房機器等の熱を利用して物質としての水を消費しない場所に供給された場合は、暖房機器等において熱が利用されて温度が低下した後に温水還管４３を介して貯湯槽８０の下部に戻される。給湯等の物質としての水の消費を伴う場所に供給された場合は、給湯等に利用されて消費された分の水が補給水管（不図示）を介して貯湯槽８０の下部に補充される。これらにより、貯湯槽８０の下部から流出する蓄熱水ｈは、熱交換器７０に導入される冷却水ｃよりも温度が低くなる。
【００５５】
電力負荷（不図示）の消費電力が燃料電池３０の最低発電電力（例えば３００ｗ）を下回ると、あるいは燃料電池３０の発電を停止させる命令が入ると、制御装置２０は、燃料電池３０への改質ガスｇ及び酸化剤ガスｔの導入を停止させて燃料電池３０が発電を行わないようにする。この際、制御装置２０は、冷却水ポンプ７３及び蓄熱水ポンプ８３を停止して、冷却水管７４、７５中の冷却水ｃの循環及び蓄熱水管８４、８５中の蓄熱水ｈの循環を停止させる。冷却水ｃ及び蓄熱水ｈの循環が停止すると、冷却水ｃ及び蓄熱水ｈの熱が大気に放熱され、時間経過にしたがって冷却水ｃ及び蓄熱水ｈの温度が低下していく。蓄熱水ｈが蓄熱水管７４、７５中に長時間滞留したまま温度が低下すると、蓄熱水ｈ中にレジオネラ属菌が繁殖するおそれがある。
【００５６】
制御装置２０は、レジオネラ属菌が繁殖するおそれが生じる程度の長時間（第３の所定の時間）にわたって燃料電池３０の発電が行われない場合、蓄熱水ポンプ８３を起動して蓄熱水管７４、７５内に滞留している蓄熱水ｈを貯湯槽８０内の蓄熱水ｈと入れ替える。このようにすることにより、貯湯槽８０内にあった新鮮な蓄熱水ｈが蓄熱水管７４、７５に行き渡ることとなり、蓄熱水管７４、７５内の蓄熱水ｈにレジオネラ属菌が繁殖することを低減することができる。なお、入れ替わって貯湯槽８０内に流入した蓄熱水ｈが消費されずに貯湯槽８０内で放熱して温度が低下すると、入れ替わって貯湯槽８０内に蓄えられている蓄熱水ｈ中にレジオネラ属菌が繁殖するおそれがある。それゆえ、レジオネラ属菌が繁殖するおそれが生じる程度の長時間（第２の所定の時間）にわたって貯湯槽８０から蓄熱水ｈが導出されない場合、貯湯槽８０内の蓄熱水ｈを滅菌するため、制御装置２０は、まず加熱ポンプ４５及び加熱器４６を起動する。このとき、三方弁４７は、上部抜出管４４Ｂと戻し管４４Ｃとが連通する方向に切り替えられている。加熱ポンプ４５が起動すると貯湯槽８０上部の蓄熱水ｈが上部抜出管４４Ｂ及び戻し管４４Ｃを介して加熱器４６に導かれる。加熱器４６に導かれた蓄熱水ｈは、レジオネラ属菌を滅菌可能な所定の温度以上に加熱された後、貯湯槽８０の上部に戻される。この蓄熱水ｈの循環加熱は、上部抜出管４４Ｂよりも上方の貯湯槽８０内に貯留されている蓄熱水ｈに対して行われる。上部抜出管４４Ｂよりも上方の貯湯槽８０内に貯留されている排熱回収水ｈだけではなく、三方弁４７を下部抜出管４４Ａと戻し管４４Ｃとが連通するように切り替えて、貯湯槽８０内の蓄熱水ｈのすべてを所定の温度に加熱することとしてもよい。
【００５７】
このように、燃料電池３０の発電がないときは、上述した蓄熱水ｈにレジオネラ属菌が繁殖することを防ぐ菌発生抑制制御を行っている。この菌発生抑制制御は安全上、確実に行われるべきものであるため、その蓄熱水ｈの入れ替え及び／又は加熱滅菌を実行するタイミングはＲＴＣ３８で計測されている。その一方で、燃料電池３０の発電の有無にかかわらず、菌発生抑制制御で利用されたエネルギーを含むエネルギー収支の情報が状態表示部１２に表示されている。状態表示部１２に表示される情報は、ユーザーにより設定された所定の時間（例えば１日、１時間、瞬時等）ごとに更新される。状態表示部１２に表示されている情報がいつの時点の情報であるのかをＲＴＣ３８の時刻を基準にすると、ユーザーの目に直接触れる時刻表示部１１に表示される時刻と齟齬が生じる場合があり、齟齬が生じている場合はユーザーが違和感を覚えることとなる。このような問題を解消するため、燃料電池システム１では以下のような調整を行っている。
【００５８】
図２は、時刻表示部１１の時刻とＲＴＣ３８の時刻との調整の手順を説明するフローチャートである。制御装置２０は、まず、標準時取得部２５が外部から標準時を取得することができるか否かを判断する（ＳＴ１）。標準時を取得することができる場合は、標準時取得部２５が取得した標準時のデータをＲＴＣ３８及び／又は時刻表示部１１に送信し、ＲＴＣ３８及び／又は時刻表示部１１の時刻を標準時に同期させる（ＳＴ２）。標準時に同期させることで、正確な時刻に基づいて制御を行うことができ、正確な時刻を表示することができる。同期させたら再び標準時を取得することができるか否かを判断する工程（ＳＴ１）に戻る。
【００５９】
他方、標準時を取得することができるか否かを判断する工程（ＳＴ１）において標準時を取得することができない場合は、差分算出部２１が時刻表示部１１に表示されている時刻のデータを取得することができるか否かを判断する（ＳＴ３）。時刻表示部１１に表示されている時刻のデータを取得することができる場合は、時刻表示部１１の時刻がユーザー又は制御装置２０の意に反して変更されたか否かを判断する（ＳＴ４）。時刻表示部１１の時刻が意に反して変更されることは、例えば、本フローの実行中に停電が発生した場合等でリモコン１０への電力供給が途絶え、復電後に時刻表示部１１に表示される時刻がリセットされる場合あるいは停電直前の時刻から計時が再開される場合がある。時刻表示部１１の時刻が意に反して変更されていない場合、差分算出部２１は、時刻表示部１１に表示されている時刻のデータとＲＴＣ３８の時刻のデータとをそれぞれ取得して両時刻の差分を算出する（ＳＴ５）。差分算出部２１は、差分を算出したら、その差分のデータを調整部２２及び保存部２３にそれぞれ送信する（ＳＴ６）。そして、調整部２２は、差分算出部２１から送信されてきた差分のデータを取得する（ＳＴ７）。なお、保存部２３は、差分算出部２１から送信されてきた差分のデータを、次に新たな差分のデータが送信されてきて差し替えられるまで保存する。
【００６０】
他方、時刻表示部１１に表示されている時刻のデータを取得することができるか否かを判断する工程（ＳＴ３）において時刻表示部１１に表示されている時刻のデータを取得することができない場合、又は時刻表示部１１の時刻が意に反して変更されたか否かを判断する工程（ＳＴ４）において意に反して変更されている場合、調整部２２は、保存部２３から差分のデータを取得する（ＳＴ８）。時刻表示部１１の時刻がユーザーの意に反して変更されている状態は、典型的にはユーザーによって時刻表示部１１の時刻が設定（変更）されたときにリセットされる。その後、調整部２２は、ＲＴＣ３８の時刻を基準にして制御部２４に記憶されている燃料電池ユニット３の状態の推移のデータを、差分算出部２１から取得した差分のデータ（ＳＴ７）又は保存部２３から取得した差分のデータ（ＳＴ８）を基にして時刻表示部１１に表示されている時刻を基準とした推移のデータに変換（調整）し、状態表示部１２に送信する（ＳＴ９）。状態表示部１２には、時刻表示部１１に表示されている時刻を基準とした燃料電池ユニット３の状態の推移が表示される。状態表示部１２に状態の推移のデータを送信したら、再び標準時を取得することができるか否かを判断する工程（ＳＴ１）に戻り、以降、上述のフローを繰り返す。
【００６１】
なお、図２に示すフローを実行中にＲＴＣ３８の時刻が変更されたときは、ＲＴＣ３８の時刻の変更と同時に、差分算出部２１が、時刻表示部１１に表示されている時刻のデータとＲＴＣ３８の時刻のデータとをそれぞれ取得して両時刻の差分を算出し、調整部２２が差分のデータを取得するようにするとよい。このようにすると、ＲＴＣ３８の時刻の変更から次の差分の取得まで待つことに起因する不正確な時刻に基づく状態が状態表示部１２に表示されることを回避することができ、変更されたＲＴＣ３８の時刻に基づく状態を直ちに状態表示部１２に反映させることができる。
【００６２】
図３を参照して、ＲＴＣ３８に基づいて動作する燃料電池ユニット３の状態を状態表示部１２に表示する際に、取得した差分に基づいて、時刻表示部１１の時刻に基づく燃料電池３０の動作の状態として状態表示部１２に表示することについて補足説明する。図３（ａ）のタイムチャートに示すように、ＲＴＣ３８の時刻は標準時と一致しており、時刻表示部１１に表示されている時刻はＲＴＣ３８の時刻よりも３０分進んで表示されるように設定されている。図３に示す例では、過去の運転実績及び貯湯槽８０の蓄熱状態を考慮して、ＲＴＣ３８に基づいて６時半から１３時半まで燃料電池３０で発電が行われた。この燃料電池３０の動作の状態が、図３（ｂ）に示すように、状態表示部１２に表示される際には、その時点の時刻表示部１１に表示されている時刻に換算されて、７時から１４時まで燃料電池３０で発電が行われたものとして表示されることとなる。このように、ＲＴＣ３８と時刻表示部１１に表示される時刻との間にずれが生じていても状態表示部１２に表示される状態は時刻表示部１１の時刻に対応付けられたものとなり、ユーザーの違和感が低減されることとなる。
【００６３】
以上の説明では、菌発生抑制制御をＲＴＣ３８の時刻に基づいて行うとしたが、このほかに以下の制御をＲＴＣ３８の時刻に基づいて行うとよい。例えば改質器３４に供給される原料ｍが都市ガスの場合、都市ガスの供給を受けるサイトへのガス引込み管に接続された大本の管に、ガスの流量や使用時間が異常の場合にガスの流路を遮断するマイコンメータ（不図示）が設置される。このマイコンメータは、一般に、所定の長時間一定量のガスが流れている場合にガス漏れがあったと推定してガス流路を遮断する機能を有するが、この機能は、例えば燃料電池に上記所定の長時間に相当する時間安定した負荷があるために、一定流量のガスが改質器３４に異常なく供給されている場合においても、マイコンメータはガス漏れがあったと推定してガス流路を遮断してしまう誤作動が起こりうる。この誤作動を回避するために、上記所定の長時間が経過する前に改質器３４以外のガス利用機器へのガス供給流量を強制的に変動させる技術があるが、このガス供給流量を強制的に変動させるタイミングはＲＴＣ３８の時刻に基づいて決定するとよい。
【００６４】
以上の説明では、熱電併給装置が燃料電池３０であるとしたが、エンジン駆動式の発電機等の、燃料電池３０以外の装置であってもよい。また、コージェネレーションシステムが燃料電池３０を備える燃料電池システム１であるとしたが、エンジン駆動式の発電機等の熱電併給装置を備えるシステムであってもよい。
【００６５】
以上の説明では、燃料電池３０が固体高分子型燃料電池であるとしたが、りん酸型燃料電池等の固体高分子型燃料電池以外の燃料電池であってもよい。しかしながら、固体高分子型燃料電池とすると、比較的低温で運転することができ、装置を小型化できるので、一般家庭等に設置するのに適している。
【００６６】
以上の説明では、下部抜出管４４Ａと上部抜出管４４Ｂと戻し管４４Ｃとが三方弁４７で接続されているとしたが、それぞれをチーズ等の継手で接続し、下部抜出管４４Ａ及び上部抜出管４４Ｂにそれぞれ制御装置２０と信号ケーブルで接続された二方弁を挿入配置することにより、下部抜出管４４Ａを流れる排熱回収水ｈを戻し管４４Ｃに流入させるのと、上部抜出管４４Ｂを流れる排熱回収水ｈを戻し管４４Ｃに流入させるのとを切り替えるように構成してもよい。
【符号の説明】
【００６７】
１    燃料電池システム
３    燃料電池ユニット
１０  リモコン（遠隔操作器）
１１  時刻表示部
１２  状態表示部
２２  調整部
２３  保存部
２５  標準時取得部
３０  燃料電池（熱電併給装置）
３８  リアルタイムクロック
４６  加熱器
７３  冷却水ポンプ
８０  貯湯槽
８３  蓄熱水ポンプ
８４  蓄熱水管
８５  蓄熱水管
ｈ    蓄熱水
【図１】
2010192241.tif 000003
【図２】
2010192241.tif 000004
【図３】
2010192241.tif 000005